(57)【要約】【課題】動力によらず、吊りボルトや細径の横桟や枠体等を交わして配線が可能な通線用工具を提供する。【解決手段】相互に噛み合った一対の無限軌道１、２から成り、一方の無限軌道１を支持する支持枠体３の外側には支持棒４の一端が固定され、他方の無限軌道２を支持する支持枠体５の外側にはケーブル６を係止する係止具７が設けられ、上記無限軌道１の外周に、一定間隔をあけて多数の弾性体から成る中空箱型の嵌合体８が列を成して設けられ、各嵌合体８はその先端面に開口部が設けられ、上記無限軌道２の外周に、一定間隔をあけて多数のピン９が列をなして設けられ、当該各ピン９は先端部に大径の傘部を有し、上記無限軌道１の各嵌合体８の開口部から中空部に挿入、嵌合自在とし、常時複数のピン９が複数の各嵌合体８の中空部に嵌合されている。【選択図】      図１
2018102097.tif 000002
【特許請求の範囲】
【請求項１】
相互に噛み合った一対の無限軌道から成り、一方の無限軌道を支持する支持枠体の外側には支持体の一端が固定され、他方の無限軌道を支持する支持枠体の外側には線条体の一端を係止する係止具が設けられ、
上記一方の無限軌道の外周に、当該無限軌道に沿って一定間隔をあけて多数の弾性体から成る中空箱型の嵌合体が列を成して並べ設けられ、各嵌合体はその先端面に開口部が設けられ、
上記他方の無限軌道の外周に、当該無限軌道に沿って一定間隔をあけて多数のピンが列をなして並べ設けられ、当該各ピンは先端部に、ピンの外径より大径の傘部を有し、上記一方の無限軌道の各嵌合体の開口部から中空部に挿入、嵌合自在とし、
常時複数のピンが複数の各嵌合体の中空部に嵌合されており、
前記一方の無限軌道の支持枠体に支持され、上記ピンと嵌合する前の嵌合体の背丈を縮ませる第１押圧ガイド体が設けられていることを特徴とする、通線用工具。
【請求項２】
前記一方の無限軌道の支持枠体に支持され、上記嵌合体からピンを離脱させるに際し、当該嵌合体の背丈を縮ませる第２押圧ガイド体が設けられたことを特徴とする、請求項１に記載の通線用工具。
【請求項３】
上記一方の無限軌道の多数の嵌合体の列は複数列となり、同様に他方の無限軌道の多数のピンの列は、上記嵌合体の列と相応する複数列となっていることを特徴とする、請求項１又は２に記載の通線用工具。
【発明の詳細な説明】
【技術分野】
【０００１】
この発明は、ケーブルラックを支持する吊りボルトや下床に設けた略水平な横桟や格子枠体等を交わして通線又は配線が容易にできる通線用工具に関するものである。
【背景技術】
【０００２】
従来、天井から吊り下げたケーブルラックは、前記天井から吊り下げた吊りボルトの下端をケーブルラックの両側に係止して吊り下げられており、当該吊りボルトはケーブルラックの長手方向に一定の間隔をあけて多数設けられている。この様なケーブルラック上に電線を配線するには、作業者が脚立を用いてケーブルラック上に昇り、そこで作業者が工具を用いて配線していた。
【０００３】
また、下床面の上に水平な横桟や格子枠体が取り付けられている場合があるが、これらの床と格子枠体等の間に電線を通す場合、作業者は当該電線の先端を上から持って、各枠体を交わして電線を配線していた。
【０００４】
特に、天井下に設けたケーブルラックへの配線の場合、作業者が脚立を用いてケーブルラックに昇らなければならず、また、前記ケーブルラック上に足場板を張り、この上を作業者が這いつくばった状態で移動して配線をするため、危険な作業であるとともに準備の手間及び作業の手間の係るものとなっている。また、下床上とその上の水平な格子枠体との間に配線する作業も作業者が水平な格子枠体の上から電線端を持って這いつくばった状態で各枠体を交わして配線しなければならず、極めて手間の係る作業となっている。
【０００５】
そこで、特許文献１のような通線用工具が開発された。これは、電線やケーブルあるいはワイヤーなどの線状部材を保持するための保持体と、保持体を支持するための支持体と、保持体を支持体に対して連結する一対の連結体とが備えられ、これらの保持体、支持体及び一対の連結体によって四角枠を形成し、連結体は、作動手段により、支持体に対して保持体を連結する位置と、支持体と保持体との連結を解除する位置とに位置変更可能とすると共に、一方の連結体が支持体と保持体との連結を解除する位置に位置するときには、少なくとも他方の連結体は支持体に対して保持体を連結する位置に位置するようにした配線用工具であり、前記作動手段に駆動モータを用いたものである。
【０００６】
また、特許文献２のケーブル延線用ガイドロープ引き装置が開発された。これは、長尺な本体と、該本体の長さ方向と直交するように該本体に装着される操作棒と、それぞれの一端側が上記操作棒の長さ方向と平行な軸周りに回動可能に、かつ、上記本体の長さ方向に所定ピッチで上記本体に取り付けられた少なくとも３本のスイングアームと、スイングアーム係止手段と、スイングアーム係止解除手段と、スイングアームの付勢手段と、鍔が上記所定ピッチと同一ピッチで設けられ、該鍔が上記作動位置にある上記少なくとも３本のスイングアームの他端にそれぞれ長さ方向の一側に密接して位置するように装着され、かつ、ガイドロープが長さ方向の他側の端部に取付けられる長尺の案内棒と、上記少なくとも３本のスイングアームのそれぞれが上記作動位置にあるときに該スイングアームと上記案内棒とを係止し、該スイングアームが上記作動位置から上記軸周りに回動する際に該スイングアームと該案内棒との係止を解除する案内棒着脱手段とを備えているものである。
【先行技術文献】
【特許文献】
【０００７】
【特許文献１】特開２００５−１１７７１５号公報
【特許文献２】特許第４１４４７１９号公報
【発明の開示】
【発明が解決しようとする課題】
【０００８】
特許文献１のものでは、支持体を長く伸ばした棒状にし、床面に立った作業者が当該支持体を持って、天井下のケーブルラックの各吊りボルト又は各横桟を交わしながら、電線をケーブルラック上に配線することができる。その際吊りボルト又は横桟箇所に来たら、一方の連結体を開けて四角枠体内に吊りボルト又は横桟を入れ、当該一方の連結体を閉じて、他方の連結体を開けて吊りボルト又は横桟を通過させる。
【０００９】
これらの連結体の開閉は全て作業者が駆動モータを操作して行うため、吊りボルト箇所又は各横桟箇所毎に操作しなければならず、依然として手間の係る作業となっている。
【００１０】
また、特許文献２のものは、動力源が不要な装置であるが、本体に一側を回動自在に夫々設けた３本のスイングアームの先端の案内棒との係止手段が案内棒に対向する開口を有した幅の狭い案内棒着脱係止手段であり、係止が確実かつ強固であるとは言えないものである。
【００１１】
また、３本のスイングアームを夫々回動させ、かつ、吊りボルトが通過したスイングアームは逆回転させて案内棒にそれぞれ順に係止しなければならず、動きが煩雑で、それだけ故障の恐れがある。しかも、本体と案内棒とを縦方向に位置させて使用する場合は、各スイングアームの案内棒着脱係止手段の開口部が下に向き、案内棒が外れる恐れがあり、縦方向の使用は困難である。
【００１２】
そこで、この発明は、動力によらず、縦方向の吊りボルトや水平な細径の横桟や枠体等を交わして通線又は配線が可能な通線用工具を提供することを目的としたものである。
【課題を解決するための手段】
【００１３】
請求項１の発明は、相互に噛み合った一対の無限軌道から成り、一方の無限軌道を支持する支持枠体の外側には支持体の一端が固定され、他方の無限軌道を支持する支持枠体の外側には線条体の一端を係止する係止具が設けられ、上記一方の無限軌道の外周に、当該無限軌道に沿って一定間隔をあけて多数の弾性体から成る中空箱型の嵌合体が列を成して並べ設けられ、各嵌合体はその先端面に開口部が設けられ、上記他方の無限軌道の外周に、当該無限軌道に沿って一定間隔をあけて多数のピンが列をなして並べ設けられ、当該各ピンは先端部に、ピンの外径より大径の傘部を有し、上記一方の無限軌道の各嵌合体の開口部から中空部に挿入、嵌合自在とし、常時複数のピンが複数の各嵌合体の中空部に嵌合されており、前記一方の無限軌道の支持枠体に支持され、上記ピンと嵌合する前の嵌合体の背丈を縮ませる第１押圧ガイド体が設けられた、通線用工具とした。
【００１４】
また、請求項２の発明は、前記一方の無限軌道の支持枠体に支持され、上記嵌合体からピンを離脱させるに際し、当該嵌合体の背丈を縮ませる第２押圧ガイド体が設けられた、請求項１に記載の通線用工具とした。
【００１５】
また、請求項３の発明は、上記一方の無限軌道の多数の嵌合体の列は、複数列となり、同様に他方の無限軌道の多数のピンの列は、上記嵌合体の列と相応する複数列となっている、請求項１又は２に記載の通線用工具とした。
【発明の効果】
【００１６】
請求項１の発明によれば、多数のピンが各嵌合体に嵌合された状態では、各ピンが各嵌合体に把持されており、常時多数のピンが把持されているため、一対の無限軌道は相互に支持され、各無限軌道が回転した場合でも、嵌合状態は維持される。従って、当該通線用工具が吊りボルト等の径の小さな棒材にぶつかった場合でも、作業者の当該通線用工具を押す力で各無限軌道が回転し、これらの二つの無限軌道の間を前記棒材がすり抜けることができる。従って、作業者が前記棒材にぶつかった場合にも、別途操作することなく、容易に前記棒材を交わしながら通線又は配線することができる。
【００１７】
そして、この一対の無限軌道は、各無限軌道が上下の位置でも水平の位置でも嵌合状態が維持されるため、前記棒材が水平方向や垂直方向に位置しても、これらの棒材を交わしてケーブル等の通線又は配線をすることができる。
【００１８】
また、請求項２の発明によれば、ピンが嵌合体から離脱する際に、嵌合体を押圧する第２押圧ガイド体を設けているため、当該箇所でのピンの嵌合体からの離脱を容易にし、スムーズな作業が可能である。
【００１９】
また、請求項３の発明によれば、ピンと嵌合体との把持が複数段（複数列）で行われるため、二つの無限軌道の嵌合は一段の場合と比べ、より強力となり、それ故より抵抗が小さく、スムーズな通線又は配線が可能である。
【図面の簡単な説明】
【００２０】
【図１】この発明の実施の形態例１の通線用工具の平面図である。
【図２】この発明の実施の形態例１の通線用工具の原理を示す平面断面図である。
【図３】この発明の実施の形態例１の通線用工具の原理を示す側面縦断面図である。
【図４】この発明の実施の形態例１の通線用工具の一方の無限軌道の複数の嵌合体の先端面図である。
【図５】この発明の実施の形態例１の通線用工具の一対の無限軌道の相互の嵌合箇所の断面略図である。
【図６】この発明の実施の形態例１の通線用工具の一対の無限軌道の相互の嵌合箇所の一方の無限軌道の側面略図である。
【図７】この発明の実施の形態例１の通線用工具の一対の無限軌道の相互の離脱箇所の断面略図である。
【図８】この発明の実施の形態例１の通線用工具の一対の無限軌道の相互の離脱箇所の一方の無限軌道の側面略図である。
【図９】この発明の実施の形態例１の通線用工具をケーブルラックへの配線作業に用いた例を示す斜視図である。
【図１０】この発明の実施の形態例１の通線用工具をケーブルラックへの配線作業に用いた例を示す縦断面図である。
【図１１】この発明の実施の形態例２の通線用工具の側面図である。
【図１２】この発明の実施の形態例２の通線用工具の使用状態を示す斜視図である。
【発明を実施するための形態】
【００２１】
（実施の形態例１）
以下、この発明の実施の形態例１の通線用工具Ａを図に基づいて説明する。
【００２２】
図１に示すように、当該通線用工具Ａは相互に噛み合った一対の無限軌道１、２から構成されている。そして、一方の無限軌道１を支持する支持枠体３の外側には、長尺な支持棒４の先端が固定されている。また、他方の無限軌道２を支持する支持枠体５の外側にはケーブル６の一端を係止する係止具７が設けられている。そして、上記支持棒４を縦にした場合、その先端に無限軌道１と２が略水平に支持される。
【００２３】
また、上記一方の無限軌道１の外周に、当該無限軌道１に沿って一定間隔をあけて多数の弾性体から成る中空箱型の嵌合体８が列を成して並べ設けられ、これらの各嵌合体８は無限軌道１を構成する各片１ａに上下二段に設けられて、嵌合体８は無限軌道１の外周に沿って二列設けられている（図４参照）。また、各嵌合体８はその先端面に開口部８ａが設けられている。
【００２４】
また、上記他方の無限軌道２の外周に、当該無限軌道２に沿って一定間隔をあけて多数のピン９が列をなして並べ設けられ、これらの各ピン９は無限軌道２を構成する各片（図示省略）に上下二段に設けられて、ピン９は無限軌道２の外周に沿って二列設けられている。
【００２５】
また、当該各ピン９は先端部に、ピンの外径より大径の傘部９ａを有し、上記一方の無限軌道１の各嵌合体８の開口部８ａから中空部８ｂに挿入、嵌合自在となっており、常時複数のピン９が複数の各嵌合体８の中空部８ｂに嵌合されている。そしてこの嵌合状態では各ピン９は各嵌合体８に包まれて把持された状態となっている。
【００２６】
これにより無限軌道１と２は対向する多数のピン９と嵌合体８が常時嵌合されて、噛み合わせ状態を維持しており、略水平状態で無限軌道２は無限軌道１に支持された状態となっている。
【００２７】
また、上記一方の無限軌道１の嵌合体８が、他方の無限軌道２のピン９と嵌合する位置の前方の無限軌道１には、図５及び図６に示すように、前記嵌合体８の先端部を抑えて高さを縮ませる第１押圧ガイド体１０が設けられている。この第１押圧ガイド体１０の両側は無限軌道１の両側の支持枠体３に支持されており、前端部の底面が次第に低くなったテーパー部１０ａを有している。
【００２８】
これにより、当該箇所に来た嵌合体８は先端面を押されて徐々に圧縮され、高さが低くなる。そして、後端部には各列の嵌合体８の開口部８ａに合わせた位置に、前記ピン９の傘部９ａが通る幅の切欠き溝１０ｂをそれぞれ設けている。
【００２９】
これにより、当該第１押圧ガイド体１０の切欠き溝１０ｂにピン９の先端部が入り、第１押圧ガイド体１０箇所を抜けた嵌合体８の先端が弾性により上方に伸び、ピン９の傘部９ａが嵌合体８の開口部８ａから中空部８ｂに入る。その際、開口部８ａの周縁に設けた切欠き８ｃが割れて開口部８ａが広がり、ピン９が入りやすくなっている。この様にして、ピン９は嵌合体８の略真上から中空部８ｂに入る。
【００３０】
また、上記他方の無限軌道２のピン９が、一方の無限軌道１の嵌合体８から抜ける位置の前方の無限軌道１には、図７及び図８に示すように、前記嵌合体８の先端部を抑えて高さを縮ませる第２押圧ガイド体１１が設けられている。この第２押圧ガイド体１１の両側は無限軌道１の両側の支持枠体３に支持されており、前端部の底面が次第に低くなったテーパー部１１ａを有している。
【００３１】
これにより、当該箇所に来た嵌合体８は先端面を押されて徐々に圧縮され、高さが低くなる。そして、当該前端部には、また、各列の嵌合体８の開口部８ａに合わせた位置に、前記ピン９の傘部９ａが通る幅の切欠き溝１１ｂをそれぞれ設けている。
【００３２】
従って、ピン９が嵌合した状態で嵌合体８は上記第２押圧ガイド体１１に押され、先端面は圧縮されてピン９が当該嵌合体８の開口部８ａから抜け、前記切欠き溝１１ｂを通って行く。その際、開口部８ａの周縁に設けた切欠き８ｃが割れて開口部８ａが広がり、ピン９が抜けやすくなっている。この様にして、ピン９は嵌合体８の略真上から抜けていく。
【００３３】
次に、この実施の形態例１の通線用工具Ａを用いて、天井から吊りボルト１２に支持されたダクター１３に載置固定されたケーブルラック１４の上にケーブル６を通線する通線作業について説明する。
【００３４】
まず、通線用工具Ａの係止具７にケーブル６の先端を取付ける。そして、作業者Ｂは支持棒４を持って、図９に示すように、通線用工具Ａの一対の無限軌道１、２をケーブルラック１４の上方に位置させてケーブルラック１４に沿って床上を移動する。その際、ケーブルラック１４の吊りボルト１２に当たるが、無限軌道１と２の間に吊りボルト１２を入れて通線用工具Ａを押していく。
【００３５】
これにより、図１及び図２に示すように、前記吊りボルト１２で無限軌道１と無限軌道２の間にあるピン９を押すことなり、無限軌道１及び２が回転し、吊りボルト１２は無限軌道１と２の間を通ってこれらの後方からすり抜ける。
【００３６】
また、上記無限軌道１及び２の回転に伴って、無限軌道１の嵌合体８は第１押圧ガイド体１０で高さを縮め、当該第１押圧ガイド体１０を過ぎると、弾性で伸び、無限軌道２の前部のピン９が嵌合体８の開口部８ａから中空部８ｂに入り込む。その際、各開口部８ａの周縁前後に切込み８ｃを入れているため、ピン９の傘部９ａが接触すると切込み８ｃ及び開口部８ａが変形し、ピン９及び傘部９ａを嵌合体８の中空部８ｂに入れる。
【００３７】
また、上記無限軌道１及び２の回転に伴って、無限軌道２の後部のピン９は無限軌道１の後部の嵌合体８の開口部８ａから抜ける。この場合も、無限軌道１の第２押圧ガイド体１１で嵌合体８が背丈を縮め、前記切込み８ｃと相まって嵌合体８からピン９が抜け、当該第２押圧ガイド体１１を通過すると嵌合体８は元の背丈に復元する。
【００３８】
この様にして、一対の無限軌道１、２が相互に嵌合した状態で、吊りボルト１２はこれらの間を通過可能であり、無限軌道２の係止具７に係止されたケーブル６はケーブルラック１４の上に通線されていく。
【００３９】
次のこの発明の実施の形態例２の通線用工具Ｃを図１１に基づいて説明する。
【００４０】
この実施の形態例２の通線用工具Ｃは、通線用工具Ａとほぼ同じ構成で、無限軌道１の下に無限軌道２が位置し、無限軌道１の支持枠体３の上面に支持棒１の下端が固定されており、ケーブル６を係止する係止具７は無限軌道２の支持枠体５の側面に設けられている。他の構成は通線用工具Ａと同じであるため、説明を省略する。
【００４１】
この通線用工具Ｃは、図１２に示すように、床面に設けられた電線やケーブル等を収容する溝１５の開口部に沿って多数の横桟１６が間隔をあけて設けられている場合に、当該横桟１６内にケーブルを収容する場合に使用する。
【００４２】
この場合、図１２に示すように無限軌道２の係止具７にケーブル６を係止し、作業者は支持棒４を持って、溝１５に沿って通線用工具Ｃを移動させる。その際、多数の横桟１６を無限軌道１と無限軌道２の間に入れて、通線用工具Ｃを動かすと、横桟１６に無限軌道２のピン９が当たり、これにより、無限軌道１及び２を回転させ、横桟１６を交わしながら、ケーブル６を溝１５内に収容できる。
【００４３】
この様に、通線用工具Ｃを用いると、床上の格子状枠体や、横桟の上からケーブル等を枠体や横桟の下に敷設することができる。
【００４４】
なお、上記実施の形態例では第２押圧ガイド体１１を設けたが、当該第２押圧ガイド体１１は設けなくてもよい。無限軌道１，２の後部において、無限軌道１及び２の夫々の回転により嵌合体８及びピン９は自然と離脱方向に引っ張られるため、第２押圧ガイド体１１がなくても離脱か可能である。また、上記実施の形態例では係止具７はケーブル６を係止するものであるが、電線やロープ等適宜の線条体を係止して配線することもできる。
【符号の説明】
【００４５】
Ａ        通線用工具              Ｂ        作業者
Ｃ        通線用工具
１        無限軌道                ２        無限軌道
３        支持枠体                ４        支持棒
５        支持枠体                ６        ケーブル                                     
７        係止具                  ８        嵌合体
８ａ      開口部                  ８ｂ      中空部
８ｃ      切込み                  ９        ピン    
９ａ      傘部                    １０      第１押圧ガイド体
１０ａ    テーバー部              １０ｂ    切欠き溝                
１１      第２押圧ガイド体        １１ａ    テーパー部            
１１ｃ    テーパー部              １２      吊りボルト              
１３      ダクター                １４      ケーブルラック          
１５      溝                      １６      横桟          
【図１】
2018102097.tif 000003
【図２】
2018102097.tif 000004
【図３】
2018102097.tif 000005
【図４】
2018102097.tif 000006
【図５】
2018102097.tif 000007
【図６】
2018102097.tif 000008
【図７】
2018102097.tif 000009
【図８】
2018102097.tif 000010
【図９】
2018102097.tif 000011
【図１０】
2018102097.tif 000012
【図１１】
2018102097.tif 000013
【図１２】
2018102097.tif 000014